(57)【要約】      （修正有）【課題】全体の厚さを小さくした電気コネクタを具備する電気コネクタ組立体を提供する。【解決手段】電気コネクタは、ハウジングと、ハウジング内に実装された複数の接続端子とを具備する。各接続端子は、ハウジング１から露出する伸縮可能な第１コンタクト端２１，３１，４１、回路基板に接続するよう構成された第２コンタクト端、及び第１コンタクト端及び第２コンタクト端間の主本体部を有する。第１コンタクト端は、回路基板の上面が位置する平面と平行な平面内で曲げられることにより形成され、接続端子を形成する金属板の幅は、ハウジングの高さ（すなわち厚さ）方向と平行である。これにより、回路基板上におけるハウジングの高さを低くできるので、電気コネクタの全体高さを低くできる。【選択図】図２
0003186962.tif 000002
【実用新案登録請求の範囲】
【請求項１】
ハウジングと、該ハウジング内に実装された複数の接続端子とを具備する、回路基板実装用の電気コネクタであって、
前記複数の接続端子の各々は、前記ハウジングから露出する伸縮可能な第１コンタクト端、前記回路基板に接続するよう構成された第２コンタクト端、及び前記第１コンタクト端及び前記第２コンタクト端間の主本体部を有し、
前記第１コンタクト端は、前記回路基板の上面が位置する平面と平行な平面内で曲げられることにより形成されることを特徴とする電気コネクタ。
【請求項２】
前記複数の接続端子の前記第１コンタクト端は、前記ハウジングの高さ方向に沿って上列及び下列に配列され、
前記上列及び下列の第１コンタクト端は、前記ハウジングの長手方向に沿って互いに対して千鳥配列されることを特徴とする請求項１記載の電気コネクタ。
【請求項３】
前記電気コネクタは３個の接続端子を有し、
前記上列に位置する１個の前記接続端子の前記第１コンタクト端は、前記ハウジングの前記長手方向に沿って前記下列に位置する２個の前記接続端子の前記第１コンタクト端の間に配置されることを特徴とする請求項２記載の電気コネクタ。
【請求項４】
前記ハウジングは、３個の前記接続端子に対応し、互いに電気的に絶縁された３個の受容空間を内部に有し、
前記ハウジングの上壁には、前記接続端子の前記第１コンタクト端がそれぞれ貫通する第１開口が設けられ、
前記ハウジングの後壁には、前記接続端子の前記主本体部がそれぞれ挿入される第２開口が設けられることを特徴とする請求項３記載の電気コネクタ。
【請求項５】
前記接続端子は、前記第１コンタクト端が開口に対して弾性的に伸縮するように、複数の湾曲部を有することを特徴とする請求項４記載の電気コネクタ。
【請求項６】
前記第１コンタクト端は、ほぼＵ形状を有すると共に、前記接続端子の前記主本体部に接続された第１アームと、自由端を有する第２アームとを有し、
前記自由端は、前記第１コンタクト端が前記第１開口から延びる際に該第１開口内に配置されることを特徴とする請求項４記載の電気コネクタ。
【請求項７】
前記受容空間は、前記接続端子の前記主本体部の幅とほぼ同じ幅を有し、
前記第１開口は、前記接続端子の前記第１コンタクト端の幅と同じほぼ同じ高さを有することを特徴とする請求項４記載の電気コネクタ。
【請求項８】
前記主本体部には少なくとも１個の突出部が設けられ、
前記受容空間の一壁には、前記突出部との圧入を形成するための位置決め通路が形成されることを特徴とする請求項４記載の電気コネクタ。
【請求項９】
前記第２コンタクト端は、前記接続端子の幅方向に直交する電気コンタクトと、該電気コンタクト及び前記接続端子の前記主本体部を接続する係合部とを具備し、
前記係合部は、前記ハウジングに形成された対応する切欠きと係合することを特徴とする請求項４記載の電気コネクタ。
【請求項１０】
前記ハウジングに補助切欠きが形成され、
前記上列の接続端子を受容するための前記受容空間の２個の壁の双方には、前記突出部との圧入を形成するための位置決め通路が設けられることを特徴とする請求項９記載の電気コネクタ。
【請求項１１】
前記電気コンタクトに対応する前記ハウジングの一部には窪みが形成されることを特徴とする請求項１０記載の電気コネクタ。
【請求項１２】
回路基板と、
請求項１ないし１１のうちいずれか１項記載の電気コネクタと、
前記回路基板に前記電気コネクタを固定するように前記ハウジングを貫通する少なくとも１個の固定部材と
を具備する電気コネクタ組立体。
【考案の詳細な説明】
【技術分野】
【０００１】
本考案は、電気コネクタ、特に印刷回路基板を有するソケット型電気コネクタと、その電気コネクタを具備する電気コネクタ組立体に関する。
【背景技術】
【０００２】
携帯電話、種々の携帯型プレーヤ、デジタルカメラ及びビデオカメラ、ＧＰＳ機器、タブレット型コンピュータ等の電気機器において、印刷回路基板を別の電気機器又はバッテリに電気接続する電気コネクタが一般的に必要である。
【考案の概要】
【考案が解決しようとする課題】
【０００３】
図２１は、従来技術の印刷回路基板（ＰＣＢ）実装型電気コネクタを示す斜視図である。電気コネクタ２００は、ハウジングと、このハウジング内に実装される複数の接続端子とを具備する。各接続端子は、金属板条を何度も曲げることにより形成される。各接続端子は、ハウジングから露出する伸縮可能な第１コンタクト端２０１、及び印刷回路基板３００に接続された第２コンタクト端を有する。各第１コンタクト端２０１では、接続端子を形成するための金属板の幅は、ハウジングの厚さ方向に直交する、すなわち、印刷回路基板３００の長さ方向と平行である。この電気コネクタ２００は、薄い電気機器の実装に適応していない、すなわち薄い電気機器に実装する際に、電気機器自体の機械的性能又は電気機器の電気的性能に対する要求事項に悪影響を与える結果となる。さらに、従来技術の電気コネクタ２００の第１コンタクト端２０１間は等間隔であるので、間隔を変更する必要がある場合、電気コネクタのハウジングの構成及び第１コンタクト端２０１の実装方法を調整する必要がある。このため、電気コネクタの使用コストは増大する。
【０００４】
従って、本考案は、上述した課題の少なくとも一側面を克服し又は軽減するために、電気コネクタ、及び全体の厚さを小さくした電気コネクタを具備する電気コネクタ組立体を提供する。
【課題を解決するための手段】
【０００５】
本考案の一側面によれば、以下を具備する回路基板実装用の電気コネクタが提供される。すなわち、電気コネクタは、ハウジングと、ハウジング内に実装された複数の接続端子とを具備し、各接続端子は、ハウジングから露出する伸縮可能な第１コンタクト端、回路基板に接続するよう構成された第２コンタクト端、及び第１コンタクト端及び第２コンタクト端間の主本体部を有し、第１コンタクト端は、回路基板の上面が位置する平面と平行な平面内で曲げられることにより形成される。
【０００６】
上述した電気コネクタにおいて、複数の接続端子の第１コンタクト端はハウジングの高さ方向に沿って上列及び下列に配列され、上下の列の第１コンタクト端はハウジングの長手方向に沿って互いに対して千鳥配列される。
【０００７】
上述した電気コネクタは３個の接続端子を有し、上列に位置する１個の接続端子の第１コンタクト端は、ハウジングの長手方向に沿って下列に位置する２個の接続端子の第１コンタクト端の間に配置される。
【０００８】
上述した電気コネクタにおいて、ハウジングは、３個の接続端子に対応し、互いに電気的に絶縁された３個の受容空間を内部に有する。ハウジングの前壁には、接続端子の第１コンタクト端がそれぞれ貫通する第１開口が設けられる。ハウジングの後壁には、接続端子の主本体部がそれぞれ挿入される第２開口が設けられる。
【０００９】
上述した電気コネクタにおいて、各接続端子は、各第１コンタクト端が各開口に対して弾性的に伸縮するように、複数の湾曲部を有する。
【００１０】
上述した電気コネクタにおいて、各第１コンタクト端は、ほぼＵ形状を有すると共に、接続端子の主本体部に接続された第１アームと、自由端を有する第２アームとを有する。自由端は、第１コンタクト端が第１開口から延びる際に第１開口内に配置される。
【００１１】
上述した電気コネクタにおいて、各受容空間は、接続端子の主本体部の幅とほぼ同じ幅を有する。各第１開口は、接続端子の第１コンタクト端の幅と同じほぼ同じ高さを有する。
【００１２】
上述した電気コネクタにおいて、各主本体部には少なくとも１個の突出部が設けられる。各受容空間の一壁には突出部との圧入を形成するための位置決め通路が形成される。
【００１３】
上述した電気コネクタにおいて、各第２コンタクト端は、接続端子の幅方向に直交する電気コンタクトと、この電気コンタクト及び接続端子の主本体部を接続する係合部とを具備する。各係合部は、ハウジングに形成された対応する切欠きと係合する。
【００１４】
上述した電気コネクタにおいて、ハウジングに補助切欠きが形成される。上列の接続端子を受容するための受容空間の２個の壁の双方には、突出部との圧入を形成するための位置決め通路が設けられる。
【００１５】
上述した電気コネクタにおいて、各電気コンタクトに対応するハウジングの一部には窪みが形成される。
【００１６】
本考案の別の側面によれば、以下を具備する電気コネクタ組立体が提供される。すなわち、電気コネクタ組立体は、回路基板と、上述した種々の実施形態に係る電気コネクタと、回路基板に電気コネクタを固定するようにハウジングを貫通する少なくとも１個の固定部材とを具備する。
【００１７】
本考案の種々の実施形態に係る電気コネクタ及び電気コネクタ組立体において、各第１コンタクト端は、回路基板の上面が配置された平面と平行な平面内で曲げられることにより形成されるので、第１コンタクト端の拡大寸法部は、ハウジングの長手方向（長さ方向）に沿って配列される。これにより、回路基板上におけるハウジングの高さを低くするので、電気コネクタの全体高さを低くする。
【００１８】
本考案の上述した特徴及び他の特徴は、添付図面を参照して典型的な実施形態の以下の詳細な説明から明白であろう。
【図面の簡単な説明】
【００１９】
【図１】本考案の典型的な一実施形態に係る電気コネクタ組立体を示す斜視図である。
【図２】本考案の典型的な一実施形態に係る電気コネクタを示す斜視図である。
【図３】図２の電気コネクタの平面図である。
【図４】図２の電気コネクタの正面図である。
【図５】図２の電気コネクタの背面図である。
【図６】図２の電気コネクタのハウジングを示す斜視図である。
【図７】図２の電気コネクタの第１接続端子を示す斜視図である。
【図８】図７の第１接続端子を示す別の斜視図である。
【図９】図２の電気コネクタの２個の第２接続端子を示す斜視図である。
【図１０】図９の１個の第２接続端子を示す別の斜視図である。
【図１１】図２の電気コネクタの固定部材を示す斜視図である。
【図１２】図４のＺ−Ｚ線に沿った断面を示す本考案の電気コネクタの斜視図である。
【図１３】図４のＹ−Ｙ線に沿った断面を示す本考案の電気コネクタの斜視図である。
【図１４】図５のＷ−Ｗ線に沿った断面を示す、接続端子が示されてない本考案のハウジングの断面図である。
【図１５】図５のＷ−Ｗ線に沿った断面を示す本考案の電気コネクタの断面図である。
【図１６】図５のＸ−Ｘ線に沿った断面を示す、接続端子が示されてない本考案のハウジングの断面図である。
【図１７】図５のＸ−Ｘ線に沿った断面を示す本考案の電気コネクタの断面図である。
【図１８】図２の電気コネクタの平面図である。
【図１９】本考案の別の実施形態に係る電気コネクタを示す平面図である。
【図２０】１個の接続端子がハウジング内で縮んだ状態を示す平面図である。
【図２１】従来の印刷回路基板実装型電気コネクタを示す斜視図である。
【考案を実施するための形態】
【００２０】
以下、添付図面を参照して本考案の典型的な実施形態を詳細に説明する。同様の部材には同様の参照番号が付される。しかし、本考案は、多くの異なる形態で実施することができ、本明細書に記載された実施形態に限定するものとして解釈すべきではない。むしろ、これらの実施形態は、本考案の開示が完全且つ徹底的であり、当業者に本考案の開示のコンセプトを十分に伝えるように提供されたものである。
【００２１】
本考案の典型的な一実施形態に係る電気コネクタ１００は、印刷回路基板（ＰＣＢ）等の回路基板を別の電気機器又はバッテリに電気接続するために、携帯電話、種々の携帯型プレーヤ、デジタルカメラ及びビデオカメラ、ＧＰＳ機器、タブレット型コンピュータ等の小型電気機器に適用できる。
【００２２】
図１及び図２並びに図７ないし図１０を参照すると、本考案の典型的な一実施形態に係る電気コネクタ１００は、回路基板４００に実装されて使用される。電気コネクタ１００は、ハウジング１と、３個の接続端子２，３，４とを具備する。全ての接続端子２，３，４はハウジング１内に実装される。各接続端子は、例えば細長の金属板を曲げ加工することにより形成されており、ハウジング１から露出した伸縮可能な第１コンタクト端２１，３１，４１と、回路基板４００に接続される第２コンタクト端２２，３２，４２と、第１コンタクト端及び第２コンタクト端間の主本体部２３，３３，４３とを有する。各第１コンタクト端２１，３１，４１は、回路基板の上面（又は下面）が位置する平面と平行な平面内で曲げられることにより形成される。このように、各第１コンタクト端２１，３１，４１における金属板の幅は、ハウジング１の厚さ（高さ）方向と平行である。
【００２３】
図１及び図２を参照すると、本考案に係る電気コネクタにおいて、３個の接続端子２，３，４の第１コンタクト端２１，３１，４１は、ハウジング１の高さ方向の上列及び下列に配列される。上列及び下列における第１コンタクト端は、ハウジング１の長手方向に沿って互いに千鳥状に配列される。例えば、上列に配置された第１コンタクト端３の第１コンタクト端３１は、ハウジング１の長手方向の下列に配置された２個の接続端子２，４の第１コンタクト端２１，４１の間に配置される。本実施形態の電気コネクタは３個の接続端子を有するが、本考案はこの実施形態に限定されず、理解されるように、２個の接続端子のみを有してもよいし、４個、５個、或いはそれ以上の接続端子を有してもよく、これらの接続端子は１列又は２列に配列されてもよい。
【００２４】
図４ないし図６並びに図１２ないし図１７に示されるように、一実施形態において、ハウジング１は、３個の接続端子２，３，４にそれぞれ対応し、互いに電気的に絶縁された３個の受容空間１２，１３，１４を内部に有する。ハウジング１の前壁１１には、対応する接続端子２，３，４の第１コンタクト端２１，３１，４１が貫通する３個の第１開口１１２，１１３，１１４が設けられている。ハウジング１の後壁１５には、各接続端子の主本体部が挿入される第２開口１５２，１５３，１５４が設けられている。
【００２５】
図７ないし図１０を参照すると、各接続端子２，３，４は、その金属板自体の弾性によりハウジング１の幅方向に沿って伸縮可能となるように複数の湾曲部を有する。このため、各第１コンタクト端２１，３１，４１が各開口１１２，１１３，１１４に対して弾性的に伸縮可能である。さらに、各第１コンタクト端２１，３１，４１は、ほぼＵ形状を有すると共に、接続端子２，３，４の主本体部２３，３３，４３に接続された第１アームと、自由端２１２，３１２，４１２を有する第２アーム２１１，３１１，４１１をと有する。自由端２１２，３１２，４１２は、第１コンタクト端２１，３１，４１が各第１開口１１２，１１３，１１４から延出する際に、各第１開口１１２，１１３，１１４内に位置する。すなわち、第１コンタクト端２１，３１，４１のいずれも各第１開口１１２，１１３，１１４から延出するか各第１開口１１２，１１３，１１４内で縮み、自由端２１２，３１２，４１２は第１開口１１２，１１３，１１４内に位置する。この結果、自由端２１２，３１２，４１２は第１コンタクト端２１，３１，４１の伸縮と干渉しない。
【００２６】
電気コネクタの一実施形態において、各受容空間１２，１３，１４は、各接続端子２，３，４の主本体部２３，３３，４３の幅とほぼ同じ幅を有する。そして、各第１開口１１２，１１３，１１４は、各接続端子２，３，４の第１コンタクト端２１，３１，４１の幅とハウジング１の厚さ方向に沿ってほぼ同じ高さを有する。これにより、受容空間１２，１３，１４は、ハウジング１の厚さ方向（上下方向）の接続端子２，３，４の移動を制限するように、ハウジング１の厚さ方向に各接続端子２，３，４を配置するのに用いられる。
【００２７】
さらに、各主本体部２３，３３，３４には少なくとも１個の突出部２３１，３３１，４３１が設けられているので、受容空間１２，１３，１４の一壁には突出部２３１，３３１，４３１と圧入を形成するための位置決め通路１２１，１３１，１４１が形成される。各第２コンタクト端２２，３２，４２は、接続端子２，３，４の幅方向に直交する電気コンタクト２２１，３２１，４２１と、電気コンタクト２２１，３２１，４２１及び接続端子２，３，４の主本体部２３，３３，４３を接続する係合部２２２，３２２，４２２とを具備する。そして、各係合部２２２，３２２，４２２は、ハウジング１（図５参照）に形成された対応する切欠き１５６，１５７，１５８と係合する。ハウジング１内での前後方向及び左右方向の各接続端子２，３，４の位置決めは、位置決め通路１２１，１３１，１４１及び切欠き１５６，１５７，１５８によって達成することができる。図７ないし図１０に示される接続端子２，３，４の図から見ることができるように、上列の接続端子３の形状は下列の接続端子２，４の外部輪郭とほぼ同じである。しかし、それらの突出位置はハウジング１の前後方向に互いに異なっている。そして、上列の接続端子３の係合部３２２は、下列の接続端子２，４の係合部２２２，４２２とはハウジング１の上下方向（厚さ方向）に異なる長さを有する。
【００２８】
接合パッドとして用いられる電気コンタクトがハウジング１の上部から見えるように、各電気コンタクト２２１，３２１，４２１に対応するハウジング１の一部には窪み１５５が形成される。窪み１５５は、関連する寸法の検出を容易にしながら、電気コンタクト２２１，３２１，４２１の不十分な半田接合又はコールド半田接合を防止するために使用することもできる。
【００２９】
本考案の電気コネクタ１００を組み立てる際、下列の接続端子２，４は、ハウジング１の後部から後壁１５の第２開口１５２，１５４を通ってハウジング１の受容空間１２，１４内に挿入することができる。次に、第１コンタクト端２１，４１は、第１開口１１２，１１４を通ってハウジング１の前部から露出する。その間、主本体部２３，４３上の突出部２３１，４３１は位置決め通路１２１，１４１に係合し、係合部２２２，４２２は、電気コンタクト２２１，４２１がハウジング１の底壁の外側に当接した状態で、切欠き１５６，１５８に挿入される。次に、上列の接続端子３は、ハウジング１の後部から後壁１５の第２開口１５３を通ってハウジング１の受容空間１３内に挿入することができる。そして、第１コンタクト端３１は、第１開口１１３を通ってハウジング１の前部から露出する。その間、主本体部３３上の突出部３３１は位置決め通路１３１に係合し、係合部３２２は、電気コンタクト３２１がハウジング１の底壁の外側に当接した状態で、切欠き１５７に挿入される。
【００３０】
図１８は、本考案の電気コネクタ１００の平面図である。図２０は、１個の接続端子（例えば接続端子２）がハウジング１内で縮んだ状態を示す平面図である。図１８及び図２０に示されるように、電気コネクタ１００が例えばバッテリに電気接続されると、第１コンタクト端２１，３１，４１が第１開口１１２，１１３，１１４を通ってハウジング１の内部に向かって弾性的に縮むように、バッテリがハウジング１から露出する第１コンタクト端２１，３１，４１に押圧力を印加する。これにより、第１コンタクト端及びバッテリのコンタクト間に良好な電気接続が維持される。本考案の電気コネクタ１００によれば、接続端子の第１コンタクト端２１，３１，４１が圧縮されると、第１コンタクト端の接触領域は、左右方向に小さく変位する。
【００３１】
本考案の別の実施形態に係る電気コネクタによれば、ハウジング１に補助切欠きが形成される。上列の接続端子を受容するための受容空間の２個の壁の双方には、接続端子の突出部との圧入を形成するための位置決め通路が設けられる。この結果、上側受容空間１３は、要望通りに２タイプの接続端子を選択的に受容する。これらのタイプの接続端子はほぼ同じ外部輪郭を有するが、その係合部は逆向きに延びる。例えば、図１８の接続端子３は図１９の接続端子３’に置換され、このような置換により、上列の接続端子の第１コンタクト端と左右方向（長さ方向）の２個の第１コンタクト端との間の距離を変更できる。これにより、様々な外部電気機器又はバッテリの要求事項に対応する。
【００３２】
図１に示される本考案の別の側面の一実施形態によれば、以下を具備する電気コネクタ組立体が提供される。すなわち、電気コネクタ組立体は、回路基板４００と、上述した種々の実施形態に係る電気コネクタ１００と、回路基板４００に電気コネクタ１００を固定するようにハウジング１を貫通する２個の固定部材５（図１１参照）とを具備する。図１１に示されるように、固定部材５は、ほぼＴ形状を有し、例えば半田付けにより回路基板４００に固定されるようハウジング１の各透孔を貫通する。
【００３３】
本考案の上述した種々の電気コネクタ及び電気コネクタ組立体によれば、接続端子の各第１コンタクト端は、回路基板の上面が位置する平面と平行な平面内で曲げられることにより形成されるので、外部電気装置又はバッテリが接続される各第１コンタクト端において、接続端子を形成する金属板の幅は、ハウジングの高さ（すなわち厚さ）方向と平行である。この結果、第１コンタクト端の拡大寸法部はハウジングの左右方向（長さ方向）に沿って配列され、接続端子が変形するための空間は左右方向に延びる。これにより、回路基板上におけるハウジングの高さを低くするので、電気コネクタの全体高さを低くする。また、第１コンタクト端間の距離を要求に応じて調整することができる。さらに、上列及び下列に配列された接続端子の殆どの部分は構造的に同じであるので、１組の金型で製造することができ、これにより製造コストが低減される。
【００３４】
上述の実施形態は例示であって限定することを意図したものではないことが理解されよう。例えば、当業者であれば上述の実施形態に多くの変更を加えてもよく、異なる実施形態に記載された種々の特徴は構成又は原理が矛盾することなく、互いに自由に組み合わせてもよい。この結果、本考案の技術的課題を克服するより多くの種類の電気コネクタ及び電気コネクタ組立体を実現することができる。
【００３５】
いくつかの典型的な実施形態が図示され説明されたが、当業者であれば、実用新案登録請求の範囲に定義された範囲及びその等価物である本開示の原理及び真髄から逸脱することなく、これらの実施形態に種々の変更、変形を加えてもよいことを理解するであろう。
【００３６】
本明細書で使用されたように、単数で示された要素は、特に排除することが明記されない限り、複数の要素等を排除するものと解釈してはならない。さらに、本考案の「一実施形態」という用語は、謳われた特徴を内包する追加の実施形態の存在を排除するものと解釈されることを意図したものではない。よ。また、逆が明記されない限り、特定の特性を有する単数又は複数の要素を「具備する」又は「有する」実施形態は、その特性を有していない追加の要素を具備してもよい。
【符号の説明】
【００３７】
１００                  電気コネクタ
１                      ハウジング
１１                    前壁
１１２，１１３，１１４  第１開口
１２，１３，１４        受容空間
１２１，１３１，１４１  位置決め通路
１５                    後壁
１５２，１５３，１５４  第２開口
１５５                  窪み
１５６，１５７，１５８  切欠き
２，３，４              接続端子
２１，３１，４１        第１コンタクト端
２１１，３１１，４１１  第２アーム
２１２，３１２，４１２  自由端
２２，３２，４２        第２コンタクト端
２２１，３２１，４２１  電気コンタクト
２２２，３２２，４２２  係合部
２３，３３，４３        主本体部
２３１，３３１，４３１  突出部
５                      固定部材
４００                  回路基板
【図１】
0003186962.tif 000003
【図２】
0003186962.tif 000004
【図３】
0003186962.tif 000005
【図４】
0003186962.tif 000006
【図５】
0003186962.tif 000007
【図６】
0003186962.tif 000008
【図７】
0003186962.tif 000009
【図８】
0003186962.tif 000010
【図９】
0003186962.tif 000011
【図１０】
0003186962.tif 000012
【図１１】
0003186962.tif 000013
【図１２】
0003186962.tif 000014
【図１３】
0003186962.tif 000015
【図１４】
0003186962.tif 000016
【図１５】
0003186962.tif 000017
【図１６】
0003186962.tif 000018
【図１７】
0003186962.tif 000019
【図１８】
0003186962.tif 000020
【図１９】
0003186962.tif 000021
【図２０】
0003186962.tif 000022
【図２１】
0003186962.tif 000023